(57)【要約】【課題】幹線ケーブル等の延線工事を安全で合理的に行うことができるケーブル延線用吊下具及びケーブル延線工法を提供する。【解決手段】貫通孔Ｑの上部に吊下げ固定される固定体２１を設ける。該固定体２１に装着され、高層階に設置されたケーブルドラム１０から繰り出されるケーブル１１を巻き付けるように係止体２５を設ける。該巻付体２５に、固定体２１の上下に一対配置され、ケーブル１１を巻き付けてケーブル１１の引き下げ速度を調整する速度調整片２６を配置する。固定体２１の左右に、前記ケーブルドラム１０からのケーブル１１送り出し位置と引き下げ位置とを調整する位置調整具２７を一対配置する。【選択図】  図５
2011223672.tif 000002
【特許請求の範囲】
【請求項１】
建造物の各階層を垂直に貫いた貫通孔に、高層階から低層階に向けてケーブルを吊り下げて配線するケーブル延線用の吊下具であって、該吊下具は、貫通孔の上部に吊下げ固定される固定体と、該固定体に装着され、高層階に設置されたケーブルドラムから繰り出されるケーブルを巻き付けるように設けられた巻付体とからなり、該巻付体は、固定体の上下に一対配置され、ケーブルを巻き付けてケーブルの引き下げ速度を調整する速度調整片と、固定体の左右に一対配置され、前記ケーブルドラムからのケーブル送り出し位置及び引き下げ位置を調整する位置調整具と、が配置されたことを特徴とするケーブル延線用吊下具。
【請求項２】
前記速度調整片は、各速度調整片の長手中央部が前記固定体の上下方向へ突出する円弧形状状をなすと共に、各速度調整片の長手方向に沿ってケーブルがスライド収納されるように断面溝状を成す請求項１記載のケーブル延線用吊下具。
【請求項３】
前記位置調整具は、前記ケーブルを係止する軸部と、該軸部の端部に設けられ軸部からのケーブルの脱落を防止する脱落防止片とで構成された請求項１記載のケーブル延線用吊下具。
【請求項４】
前記固定体は、該固定体の上部に該固定体を吊下げる懸吊具が設けられると共に、固定体の下部に固定体の揺れを防止する緊締具が設けられ、これら懸吊具と緊締具とによって貫通孔の上部に固定するように設けられた請求項１記載のケーブル延線用吊下具。
【請求項５】
建造物の各階層を垂直に貫いた貫通孔にケーブルを配線するケーブルの延線工法において、高層階にケーブルドラムを設置し、ケーブルドラムから繰り出したケーブルを貫通孔の上部に固定した吊下具に絡めながら引き下げ、該ケーブルを高層階から低層階に向けて配線することを特徴とするケーブル延線工法。
【発明の詳細な説明】
【技術分野】
【０００１】
本発明は、ビル、マンション等の建造物に各種ケーブルを配線するケーブル延線用吊下具及びケーブル延線工法に係り、各階層を垂直に貫く貫通孔にケーブルを配線するのに好適なケーブル延線用吊下具及びケーブル延線工法に関するものである。
【背景技術】
【０００２】
ビルやマンション等の建造物において、各階層に幹線ケーブルを配線する場合において、従来では、各階層を垂直に貫いた貫通孔に幹線ケーブルを通して配線する。この場合、低層階から高層階まで引き上げることにより行われている。
【０００３】
この幹線ケーブルの引き上げ作業では、幹線ケーブルの重量が重くしかも滑りやすいので、低層階から高層階まで引き上げる作業に多くの課題が生じていた。そのため、特許文献１〜３のように、安全で合理的な作業にすべく多くの提案がある。
【０００４】
特許文献１は、各階層を貫いた貫通孔にエンドレスチェーンを吊下げ設置し、このエンドレスチェーンを使用して幹線ケーブルを引き上げる方法が記載されている。また、特許文献２によると、高層階にキャプスタンローラを有する昇降機を設置し、この昇降機によって幹線ケーブルを引き上げるものである。
【先行技術文献】
【特許文献】
【０００５】
【特許文献１】特開平３‐４６９９３号公報
【特許文献２】特開平８‐２８９４２８号公報
【発明の概要】
【発明が解決しようとする課題】
【０００６】
各階層に幹線ケーブルを配線する場合、従来技術では、いずれも低層階から高層階へと幹線ケーブルを持ち上げる作業になっている。そのため、前記特許文献１、２の如く、エンドレスチェーンや昇降機等を設置して使用する必要があり、幹線ケーブルの延線工事に極めて多くの手間を要するものである。しかも、重量のある幹線ケーブルを持ち上げて配線する作業は、常にケーブルの落下に注意を払う必要があり、極めて危険な作業でもある。
【０００７】
また、低層階から高層階へと幹線ケーブルを持ち上げるには、ケーブルドラムを低層階に配置することになる。ところが、幹線ケーブルの配線工期は、他の工事の工期と重なる場合が多い。特に低層階は、工期以外でも他の作業員や作業資材などが集中するので錯綜した状況になっている。したがって、この低層階に配置したケーブルドラムが他の工事を妨げないように、他業者との工程調整を綿密に行う必要が生じている。このような状況から、幹線ケーブルの延線工事を安全で合理的に行うことが可能な工法の提供が望まれている。
【０００８】
そこで本発明は上述の課題を解消すべく創出されたもので、幹線ケーブル等の延線工事を安全で合理的に行うことができるケーブル延線用吊下具及びケーブル延線工法の提供を目的とするものである。
【課題を解決するための手段】
【０００９】
上述の目的を達成すべく本発明における第１の手段は、建造物Ｐの各階層Ｐ１を垂直に貫いた貫通孔Ｑに、高層階から低層階に向けてケーブル１１を吊り下げて配線するケーブル延線用の吊下具２０であって、該吊下具２０は、貫通孔Ｑの上部に吊下げ固定される固定体２１と、該固定体２１に装着され、高層階に設置されたケーブルドラム１０から繰り出されるケーブル１１を巻き付けるように設けられた巻付体２５とからなり、該巻付体２５は、固定体２１の上下に一対配置され、ケーブル１１を巻き付けてケーブル１１の引き下げ速度を調整する速度調整片２６と、固定体２１の左右に一対配置され、前記ケーブルドラム１０からのケーブル１１送り出し位置及び引き下げ位置を調整する位置調整具２７と、が配置された延線用吊下具にある。
【００１０】
第２の手段における前記速度調整片２６は、各速度調整片２６の長手中央部が前記固定体２１の上下方向へ突出する円弧形状をなすと共に、各速度調整片２６の長手方向に沿ってケーブル１１がスライド収納されるように断面略溝状を成すものである。
【００１１】
第３の手段の前記位置調整具２７は、前記ケーブル１１を係止する軸部２７Ａと、該軸部２７Ａの端部に設けられ軸部２７Ａからのケーブル１１の脱落を防止する脱落防止片２７Ｂとで構成されている。
【００１２】
第４の手段における前記固定体２１は、該固定体２１の上部に該固定体２１を吊下げる懸吊具２２が設けられると共に、固定体２１の下部に固定体２１の揺れを防止する緊締具２３が設けられ、これら懸吊具２２と緊締具２３とによって貫通孔Ｑの上部に固定するように設けられている。
【００１３】
第５の手段の延線工法は、建造物Ｐの各階層Ｐ１を垂直に貫いた貫通孔Ｑにケーブル１１を配線するケーブルの延線工法において、高層階にケーブルドラム１０を設置し、ケーブルドラム１０から繰り出したケーブル１１を貫通孔Ｑの上部に固定した吊下具２０に絡めながら引き下げ、該ケーブル１１を高層階から低層階に向けて配線することを課題解消のための手段とする。
【発明の効果】
【００１４】
本発明の延線用吊下具によると、貫通孔Ｑの上部に吊下げ固定される固定体２１と、該固定体２１に装着されケーブル１１を巻き付けるように設けられた巻付体２５とにより、ケーブルドラム１０から繰り出したケーブル１１を吊下具２０に絡めながら引き下げ、該ケーブル１１を高層階から低層階に向けて配線することができるので、エンドレスチェーンや昇降機等を使用する必要がない。したがって、昇降機用の電源も必要とせずに吊下具２０の設置や撤収が簡単になり、極めて合理的な配線工事を行うことができる。
【００１５】
請求項２の如く、速度調整片２６は、各速度調整片２６の長手中央部が前記固定体２１の上下方向へ突出する円弧形状状をなすと共に、各速度調整片２６の長手方向に沿ってケーブル１１がスライド収納されるように断面略溝状を成すので、これらの速度調整片２６にケーブル１１を巻き付けることにより、ケーブル１１が自重で落下するのを防止し、ケーブル１１の引き下げ速度を調整することができる。
【００１６】
請求項３によると、位置調整具２７は、前記ケーブル１１を係止する軸部２７Ａと、該軸部２７Ａの端部に設けられ係止したケーブル１１の脱落を防止する脱落防止片２７Ｂとで構成されているので、ケーブル１１を送り出さなければケーブル１１は下がらない。しかも、ケーブル１１を垂直方向のみならず水平方向にも延線可能になる。
【００１７】
請求項４によると、懸吊具２２と緊締具２３とによって吊下具２０が吊下げ固定されるものであるから、貫通孔Ｑ内にケーブル１１を安定した状態で吊下げることができる。
【００１８】
本発明の延線工法によると、高層階にケーブルドラム１０を設置し、ケーブルドラム１０から繰り出したケーブル１１を貫通孔Ｑの上に固定した吊下具２０に絡めながら引き下げ、該ケーブル１１を高層階から低層階に向けて配線するので、従来のようにエンドレスチェーンや昇降機等を使用して持ち上げる必要がなくなり、極めて安全で、且つ迅速な配線を行うことができる。
【００１９】
しかも、高層階は、低層階と比べて他の作業員や作業資材などが集中することが少ないので、配置したケーブルドラム１０が他の工事を妨げることもない。この結果、他業者との工程調整を綿密に行う必要もなくなり、ケーブル１１の延線工事を合理的に行うことが可能になった。
【図面の簡単な説明】
【００２０】
【図１】本発明吊下具の一実施例を示す斜視図である。
【図２】本発明吊下具の一実施例を示す側面図である。
【図３】本発明吊下具にケーブルを巻き付けた例を示す正面図である。
【図４】（イ）、（ロ）は、本発明吊下具にケーブルを巻き付けた他の例を示す正面図である。
【図５】本発明延線工法の一実施例を示す概略図である。
【図６】本発明延線工法の第１工程を示す概略図である。
【図７】本発明延線工法の第１工程を示す概略図である。
【図８】本発明延線工法の第１工程を示す概略図である。
【図９】本発明延線工法の第１工程を示す概略図である。
【図１０】本発明延線工法で使用する仮止め具の使用例を示す正面図である。
【発明を実施するための形態】
【００２１】
本発明によると、幹線ケーブル等のケーブル１１を高層階から低層階に向けて配線することにより、ケーブル１１の延線工事を安全で合理的に行うことができるなどといった当初の目的を達成した。
【実施例】
【００２２】
以下、本発明の実施例を説明する。本発明延線用吊下具は、建造物Ｐの各階層Ｐ１を垂直に貫いた貫通孔Ｑに、高層階から低層階に向けてケーブル１１を吊り下げて配線する吊下具２０である（図５参照）。
【００２３】
本発明吊下具２０は、貫通孔Ｑの上部に吊下げ固定される固定体２１と、該固定体２１に装着され、高層階に設置されたケーブルドラム１０から繰り出されるケーブル１１を巻き付けるように設けられた巻付体２５とを有している（図１参照）。
【００２４】
固定体２１は、貫通孔Ｑ内部に吊下具２０を固定する部材で、図示の固定体２１は枠体状を成している。この固定体２１の上部に該固定体２１を吊下げる懸吊具２２が接続されており、貫通孔Ｑ上部の所定位置に連結することで、固定体２１を吊下げる（図５参照）。また、固定体２１の下部に固定体２１の揺れを防止する緊締具２３が接続される。この緊締具２３を固定体２１の下方の所定位置に連結すると、固定体２１の揺れ止め防止になり、固定体２１を安定した状態に固定することができる。
【００２５】
巻付体２５は、固定体２１の前面に設けられた部材で、速度調整片２６と位置調整具２７とを備えている（図２参照）。速度調整片２６は、固定体２１の上下に一対配置され、ケーブル１１を巻き付けてケーブル１１の引き下げ速度を調整する（図３参照）。図示例の速度調整片２６は、各速度調整片２６の長手中央部が前記固定体２１の上下方向へ突出する円弧形状状を成している。更に、各速度調整片２６は、自身の長手方向に沿ってケーブル１１がスライド収納されるように断面略溝状を成している（図１、図２参照）。このような形状により、速度調整片２６に巻き付けたケーブルが自重で落下するのを防止できる。更に、速度調整片２６への巻きつけ方を変更することで、引き下げ速度を調整することが可能になるものである（図４参照）。同図（イ）は、上部の速度調整片２６にのみケーブル１１を巻き付けた状態を示している。また、同図（ハ）は、上下の速度調整片２６の両方にケーブル１１を巻き付けた状態を示している。この場合の落下速度は、同図（イ）のほうが速くなる。
【００２６】
一方、位置調整具２７は、固定体２１の左右に一対配置され、前記ケーブルドラム１０からのケーブル１１送り出し位置や引き下げ位置を調整する。図示例の位置調整具２７は、前記ケーブル１１を係止する軸部２７Ａと、該軸部２７Ａの端部に設けられ係止したケーブル１１の脱落を防止する脱落防止片２７Ｂとで構成されている（図２参照）。
【００２７】
そして、左右の位置調整具２７の一方をケーブル１１送り出し位置とし、他方を引き下げ位置としてケーブル１１を巻き付けて設置する（図３、図４参照）。また、これら速度調整片２６や位置調整具２７にケーブル１１を巻き付ける際に、これらへの巻き付け方や絡め方を変更することで、ケーブル１１の径、材質、張力などに応じた位置調整やスピード調整が可能になるものである。
【００２８】
本発明延線工法は、建造物Ｐの各階層Ｐ１を垂直に貫いた貫通孔Ｑにケーブル１１を配線する工法であり、前述の吊下具２０を使用する（図５参照）。そして、基本的な配線作業は、次の四つの工程から成る。
【００２９】
第１の工程は、高層階にケーブルドラム１０を設置する工程である（図６参照）。ケーブルドラム１０の揚重は、工事用エレベーターやクレーンを使用する。高層階は、低階層に比べてケーブルドラム１０を設置するスペースが広く確保されている。そのため、ケーブルドラム１０の近辺に関係者以外が無用に立ち入らないように、ロープやカラーコーンなどで立ち入り禁止区域を設定し、その中にケーブルドラム１０を設置することが好ましい。
【００３０】
第２の工程は、ケーブルドラム１０から繰り出したケーブル１１の先端部を吊下具２０の近傍に仮止めして落下を防止する工程である（図７参照）。ケーブル１１の先端部を仮止めするには、図１０に示すような仮止め具３０を使用する。この仮止め具３０は、複数本の帯紐３１をケーブル１１の側面に巻き付けて、吊下げ具等に連結するもので、帯紐３１の先端には面ファスナー３２が縫い込まれており、巻き付けた後、この面ファスナー３２で固定する。仮止め具３０を巻き付けたケーブル１１は、自重で吊下げ具等に仮止め固定されるものである。
【００３１】
第３の工程は、ケーブルドラム１０から繰り出したケーブル１１を、係止体２５の速度調整片２６や位置調整具２７に巻き付ける工程である（図８参照）。このとき、ケーブル１１の径、材質、張力、種類等に応じ、係止体２５への巻き付け方を任意に変更することができる。すなわち、絡みが少なくなるほど引き下げ速度が速くなり（図４（イ）参照）、係止体２５への絡みが多くなるほど、引き下げ速度にブレーキがかかり（図４（ロ）参照）。
【００３２】
第４の工程は、ケーブル１１を係止体２５に巻き付けたあと、先にケーブル１１を仮止めした仮止め具３０を解除し、係止体２５に巻き付けた状態で高層階から低層階に向けてケーブル１１を引き下げる工程である（図９参照）。最上部の階から最下部の階までケーブル１１を沿線した後は、各階の配線工事が行われる。
【産業上の利用可能性】
【００３３】
本発明は、主に幹線ケーブルの延線工事として説明しているが、幹線ケーブル以外のケーブル１１を配線することも可能である。さらに、本発明の各構成は図示例に限定されるものではなく、本発明の要旨を変更しない範囲で自由な設計変更が可能である。
【符号の説明】
【００３４】
Ｐ  建造物
Ｐ１  階層
Ｑ  貫通孔
１０  ケーブルドラム
１１  ケーブル
２０  吊下具
２１  固定体
２２  懸吊具
２３  緊締具
２５  係止体
２６  速度調整片
２７  位置調整具
２７Ａ  軸部
２７Ｂ  脱落防止片
３０  仮止め具
３１  帯紐
３２  面ファスナー
【図１】
2011223672.tif 000003
【図２】
2011223672.tif 000004
【図３】
2011223672.tif 000005
【図４】
2011223672.tif 000006
【図５】
2011223672.tif 000007
【図６】
2011223672.tif 000008
【図７】
2011223672.tif 000009
【図８】
2011223672.tif 000010
【図９】
2011223672.tif 000011
【図１０】
2011223672.tif 000012